【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
海上輸送貨物のコンテナに用いられるパレットであって、前記パレットが前記コンテナに転がって出入りするのを可能にする移動手段と、前記パレットを前記コンテナ内で固定する固定手段と、が設けられたシャーシを有するパレット。
【請求項２】
前記移動手段は、前記シャーシに取り付けられた少なくとも１つのローラである、請求項１に記載のパレット。
【請求項３】
前記パレットが前記コンテナに入るときに前記パレットの前縁の両側に位置した第１の固定手段を有し、前記第１の固定手段は、前記パレットが前記コンテナに出入りするときは前記コンテナの側壁に概ね平行であるが、一旦、前記コンテナの内部の後壁に接触すると前記シャーシから外に向かって回転し前記コンテナの側壁に係合するように、前記シャーシ上の軸部材を中心として回転可能に取り付けられた第１の固定装置である、請求項１に記載のパレット。
【請求項４】
前記第１の固定装置は、前記軸部材の一端に隣接して回転可能に連結され、かつ、コンテナ壁係合部材で隔てられた２つの平行な面を含んでいる、請求項３に記載のパレット。
【請求項５】
前記コンテナ壁係合部材は、前記２つの平行な面の間の、ローラ部材の回転中心となる軸部材である、請求項４に記載のパレット。
【請求項６】
前記パレットの後縁の各隅部の近傍に、コンテナの側面に係合する第２の固定装置が設けられている、請求項１、３、４、および５のいずれか１項に記載のパレット。
【請求項７】
前記第２の固定装置は、前記パレットの前記後縁に溶接された本体部材を含み、前記本体部材は、外側の端が前記コンテナの側壁と係合するようにねじ回して出すことができるねじ部材を収容している、請求項６に記載のパレット。
【請求項８】
前記ねじ部材は、前記ねじ部材に取り付けられた固定ナットによって、コンテナ壁との強固な係合状態に保たれる、請求項７に記載のパレット。
【請求項９】
第３の固定装置が、前記パレットの前記シャーシの後縁の概ね中央に位置しており、該第３の固定装置は、前記コンテナの１つ以上の後部ドアに近接かつ隣接するように移動することができる伸長可能な部材を有している、請求項１、および３から８のいずれか１項に記載のパレット。
【請求項１０】
前記伸張可能な部材は水平なロッドに連結されており、該ロッドは、前記パレットの後縁に位置している複数の支持部材の間で回転することができ、前記ロッドは、前記伸長可能な部材が前記パレットの後縁から出て少なくとも１つのコンテナドアに隣接するようにしっかりと回転できるように、爪と噛み合うようになっている少なくとも１つのラチェット部材を有する、請求項９に記載のパレット。
【請求項１１】
互いにずらして配置された２連のラチェットが前記ロッドに設けられており、該ラチェットの、対応する爪が、前記伸長可能な部材の両端に近接かつ隣接するように設けられている、請求項１０に記載のパレット。
【手続補正２】
【補正対象書類名】明細書
【補正対象項目名】全文
【補正方法】変更
【補正の内容】
【発明の詳細な説明】
【発明の名称】種々の固定手段を備えた可動式パレット
【技術分野】
【０００１】
本発明は、海上輸送貨物コンテナに関し、特に、そのようなコンテナの中で用いられるパレット、およびパレットを海上輸送貨物コンテナ内の固定位置に保持する固定機構に関する。
【背景技術】
【０００２】
海上輸送貨物で輸送される貨物が、取り扱いを容易にするためにパレット上に積載されることはよく知られている。
【０００３】
近年では、そのようなコンテナに転がって出入りするパレットが開発されている。しかしながら、そのようなパレットの可動性は、コンテナが輸送のために動かされるとき、または、特に、コンテナが海上で船の上にあるときに、コンテナ内でのその移動に関する障害の原因となる。
【発明の開示】
【発明が解決しようとする課題】
【０００４】
明らかに、船上のコンテナは著しく動きやすく、積み降ろしされ輸送されているコンテナも著しく動きやすい。したがって、コンテナの中にあり、コンテナに対して特定の位置にしっかりと固定されていない、パレットのような装置は動くであろう。これは、言い換えると、パレット上で輸送される貨物の損傷、極端な場合はコンテナ自身の損傷に結びつく問題の原因となる。
【０００５】
本発明の目的は、海上輸送貨物コンテナの中で用いられる可動パレット用の固定手段を提供することである。
【０００６】
本発明は、海上輸送貨物コンテナとともに使用されるパレットであって、パレットがコンテナに転がって出入りするのを可能にする移動手段と、コンテナ内でパレットを固定する固定手段と、が設けられたシャーシを有するパレットである。
【０００７】
移動手段は、複数のローラであることが好ましいが、車輪や他の適切な手段を用いることもできる。パレットは、同じサイズのパレットが互いに重ねられるように、シャーシ上に位置し、全てのローラの位置に亘る開口部が設けられた上面を有することがより好ましい。
【０００８】
固定手段は、シャーシの様々な位置での機能に適した複数の固定手段からなることも好ましい。
【０００９】
第１の固定手段は、パレットの、コンテナに進入するときの前縁の両側に位置している。この機構は、パレットがコンテナに出入りするときにコンテナの側壁に概ね平行になるように、シャーシ上の軸部材を中心として回転可能に取り付けられた装置である。パレットの前縁がコンテナの内部の後壁に近づくと、その装置はシャーシから外に向かって回転し、コンテナの側壁と係合することができる。回転可能に取り付けられた装置は、ローラ装置であることが好ましい。しかしながら、任意の適切なマウントを用いたり、その装置のための任意の係合手段も考えられる。
【００１０】
第２の固定手段は、シャーシの後縁に付属する。この固定手段は、パレットの後縁の両側上の本体部材からなり、本体部材は、ねじ回されて出されてコンテナの側壁と係合するねじ部材を収容している。本体にねじ込まれる固定ナットが設けられ、それによって、この機構が解放されるのを防止することが好ましい。
【００１１】
第３の固定手段は、パレットのシャーシの後縁の概ね中央に位置している。この固定手段は、コンテナの１つ以上の後部ドアに近接かつ隣接するように移動することができる伸長可能な部材であり、ラチェットおよび爪装置によってそこに保持されるのが好ましい。
【発明を実施するための最良の形態】
【００１２】
本発明をより容易に理解するために、限定されない例として図面を参照して本発明の特定の実施形態を述べる。
【００１３】
本発明の好ましい実施形態では（図１に示すように）、車輪またはローラ２０の形態の移動手段と、パレットをコンテナの内部に対して固定した関係に保持する固定手段とを有する、海上輸送貨物のコンテナ用のパレット１０が提供される。
【００１４】
パレットは、シャーシ１９上に位置した上面１１を有し、その上面には、同じサイズのパレットを互いに重ねることができるように、各ローラの位置に亘る開口部１２が設けられている。
【００１５】
固定手段は、シャーシ上の様々な位置で働くのに適した複数の固定手段からなることも好ましい。
【００１６】
第１の固定機構３０（図２）は、パレットがコンテナに進入するときのパレットの前縁１４の両側に位置している。この機構３０は、パレットのシャーシ上に取り付けられた軸部材３１を中心として回転可能に取り付けられた装置である。
【００１７】
本発明の実施形態では、パレットの前縁１４および後縁１６は、溝形状の押出し成形品からなり、軸部材３１は、向き合っている溝の面の間でパレットの前縁の隅部近傍に取り付けられている。
【００１８】
固定部材３０は、軸部材３１に回転可能に連結され、かつ、ローラ３３の回転中心になる部材３４によって隔てられた２つの平行な面３２からなっている。装置３０は、パレットがコンテナに出し入れされるときにコンテナの側壁１５にほぼ平行であるような配置となっている。パレットの前縁がコンテナの内部の後壁に近づくと、装置３０は、シャーシから外向きに回転し、コンテナの側壁に係合することができる。
【００１９】
回転可能に取り付けられた装置はローラ装置であることが好ましい。しかしながら、いかなる適切なマウントを用いること、あるいは装置のためのいかなる係合手段も考えられる。
【００２０】
第２の固定手段４０は、パレットのシャーシの後縁１６に付属している。この固定手段４０は、パレットの後部の両側で後縁の溝の内側に溶接された本体部材４１からなり、その本体部材は、端４３がコンテナの側壁と係合するようにねじ回して出すことができるねじ部材４２を収容している。
【００２１】
端４３が係合したとき、耳４５付きの固定ねじ４４が本体部材４１に締め付けられ、それによって、この機構が解放されるのが防止されることが好ましい。
【００２２】
第３の固定手段５０は、パレットのシャーシの後縁１６の溝内の概ね中央に位置している。この固定手段は、コンテナの１つまたはそれ以上の後部ドアに近接して隣接するように移動することができる、伸長可能な部材５１を有している。
【００２３】
部材５１は、支持部材５８を介して回転できるロッド５２に溶接されている。部材５１は、それぞれ爪５５，５６と噛み合う２連ラチェット５３，５４の間でこれらに近接して位置している。これらの爪の歯は互いにずれており、部材５１が後縁１６から外に向かって回転したときに、部材５１を微調整する。
【００２４】
固定部材５０は、パレットの後縁をコンテナの後部ドアに確実に係合させるのに用いられる。実際には、１つのコンテナドアが閉じられ、部材５１が回転してそのドアに接触し、その後、残りのドアが閉じられる。ラチェット爪機構は、ドアが再び開かれると容易に解除できる。
【００２５】
固定部材３０は、パレットの前縁の隅部をコンテナの内部に自動的に配置するように作動する。しかし、この配置は絶対的な固定機構ではなく、パレットがコンテナから引き出されたときに自動的に解除される。この装置の利点は、解除するためにコンテナ内に入る必要がないことである。
【００２６】
固定部材３０を全てのパレットに用いること、および固定部材４０および５０の一方または両方を、パレットをコンテナ内の所定の位置に確実に位置させるために用いることが好ましい。特に、固定部材５０は、１つまたはそれ以上のパレットが１つのコンテナ内に積み込まれたときに、残った空間を塞ぐために用いることができる。
【００２７】
強度に関する自明の一般的な要求がない限り、これら固定機構の部品の構造用に如何なる適切な材料を用いることもできる。本発明の好ましい実施形態では、おそらくこれらは、通常、高強度の金属製品から作られるが、ローラの材料は、必要であれば緩衝性を有するものとすることができる。
【００２８】
したがって、本発明は、海上輸送貨物コンテナの外で荷積みおよび荷降ろしされ、次いで、フォークリフトなどによって、そのようなコンテナに転がして出入りできるパレットを提供する。パレットと関連して用いられる固定機構は、種々の製品を航行中に損傷のおそれなくパレット上で安全に輸送できることを意味する。パレットの積み込みも、荷の積み降ろしを海上輸送貨物コンテナの外で行うことができるという点で、極めて安全にすることができる。
【００２９】
ここでは本発明の１つの特定の実施形態を説明したが、上述した特徴や用いる材料について本発明の範囲内で変更や改良がさらにあってもよいということが理解される。
【図面の簡単な説明】
【００３０】
【図１】本発明のパレットの概略図である。
【図２】パレットの前縁の固定手段の一例の斜視図である。
【図３】パレットの後縁での横固定機構の一例の斜視図である。
【図４】パレットの後縁をコンテナのドアに近接かつ隣接するように位置させる手段の一例の説明図である。